(57)【要約】  液晶ディスプレイなどのディスプレイ（４００）の光管理フィルム（２１６、２１８、２２０、２２２、２２４；４１４）のための新たなパッケージング方法において、拡散体層（２１６、２２４）、交差したプリズム状構造化フィルム（２１８、２２０）、および反射偏光子（２２２）などの２つ以上の光学フィルムのスタックμが、ディスプレイフレーム（４０２）への挿入前にともに保持される。スタックは、フィルムのビューイング領域の外側に位置決めされた接着剤（２３０；４１６）を使用してともに接着されたフィルムの少なくとも２つを含む。いくつかの実施形態において、接着剤（２３０；４１６）は、フィルムスタックμの周囲に設けられた１つ以上のタブ（４１８）に付与される。
2007504489.tif 000002
【特許請求の範囲】
【請求項１】
少なくとも第１および第２の光学フィルムのスタックであって、前記少なくとも第１および第２の光学フィルムの各々が、少なくとも１つの周囲タブを有し、前記少なくとも第１および第２の光学フィルムの少なくとも１つの周囲タブが、相対的に整列しており、接着剤の層が前記少なくとも１つの周囲タブの間に配置されて、前記少なくとも第１および第２の光学フィルムを互いに接着する、少なくとも第１および第２の光学フィルムのスタックを含む、ディスプレイ内の光を管理するための光管理フィルムパッケージ。
【請求項２】
前記第１および第２の光学フィルムが、各々、位置合せされたそれぞれの周縁を有し、前記第１の光学フィルムの少なくとも１つの周縁の少なくとも一部が、接着剤によって、前記第２の光学フィルムの少なくとも１つの周縁とともに接着される、請求項１に記載のフィルムパッケージ。
【請求項３】
前記第１の光学フィルムが、前記第２の光学フィルムの方にプリズム状構造化表面を有するプリズム状光方向づけフィルムである、請求項１に記載のフィルムパッケージ。
【請求項４】
前記第２の光学フィルムが、前記第２の光学フィルムの、前記第１の光学フィルムから離れた側に、プリズム状構造化表面を有するプリズム状光方向づけフィルムであり、前記第２の光学フィルムのプリズム状構造化表面のリブが、前記第１の光学フィルムのプリズム状構造化表面のリブに実質的に垂直に配向される、請求項３に記載のフィルムパッケージ。
【請求項５】
第１および第２のビューイング領域と位置合せされた第３のビューイング領域を有する少なくとも第３の光学フィルムをさらに含み、前記第３の光学フィルムが、前記第２の光学フィルムの少なくとも１つの周囲タブに接着された少なくとも１つの周囲タブを有する、請求項１に記載のフィルムパッケージ。
【請求項６】
前記第１および第２の光学フィルムがプリズム状光方向づけフィルムであり、前記第３の光学フィルムが反射偏光子フィルムである、請求項５に記載のフィルムパッケージ。
【請求項７】
ディスプレイ要素をさらに含み、前記少なくとも第１および第２の光学フィルムのスタックが、前記ディスプレイ要素に取付けられる、請求項１に記載のフィルムパッケージ。
【請求項８】
バックライトユニットをさらに含み、前記少なくとも第１および第２の光学フィルムのスタックが、前記バックライトユニットに取付けられる、請求項１に記載のフィルムパッケージ。
【請求項９】
前記第１および第２の光学フィルム上の前記少なくとも１つの周囲タブが、前記それぞれの光学フィルムの周りに非対称パターンで配置される、請求項１に記載のフィルムパッケージ。
【請求項１０】
前記スタックの一方の側の下部保護層と、前記スタックの他方の側の上部保護層とをさらに含む、請求項１に記載のフィルムパッケージ。
【請求項１１】
前記上部および下部保護層が、各々、前記スタックの主面と形状およびサイズの少なくとも１つが異なった主面を有する、請求項１０に記載のフィルムパッケージ。
【請求項１２】
前記スタックがビューイング領域を有し、前記接着剤の層が前記ビューイング領域の外側にある、請求項１に記載のフィルムパッケージ。
【請求項１３】
照明ユニットと、
ディスプレイユニットと、
前記照明ユニットから前記ディスプレイユニットまで進む光を管理するために前記照明ユニットと前記ディスプレイユニットとの間に配置された光管理ユニットとを含むディスプレイシステムであって、前記光管理ユニットが、
少なくとも第１および第２の光学フィルムのスタックであって、前記少なくとも第１および第２の光学フィルムの各々が、少なくとも１つの周囲タブを有し、前記少なくとも第１および第２の光学フィルムの少なくとも１つの周囲タブが、相対的に整列しており、接着剤の層が前記少なくとも１つの周囲タブの間に配置されて、前記少なくとも第１および第２の光学フィルムを互いに接着する、少なくとも第１および第２の光学フィルムのスタックを含む、ディスプレイシステム。
【請求項１４】
前記ディスプレイユニットによって表示される画像を制御するために、前記ディスプレイユニットに結合された制御ユニットをさらに含む、請求項１３に記載のシステム。
【請求項１５】
前記ディスプレイユニットが液晶ディスプレイ層を含む、請求項１３に記載のシステム。
【請求項１６】
前記液晶ディスプレイ層のビューイング側の吸収偏光子層と、前記液晶ディスプレイ層の照明ユニット側の吸収偏光子とをさらに含む、請求項１５に記載のシステム。
【請求項１７】
前記照明ユニットが、光ガイドパネルを照明する１つ以上の光源を含み、前記１つ以上の光源からの光が、前記光ガイドパネルに入り、前記光ガイドパネルの面を通って前記光管理ユニットまで進む、請求項１３に記載のシステム。
【請求項１８】
前記照明ユニット、前記光管理ユニット、および前記ディスプレイユニットを保持するフレームをさらに含む、請求項１３に記載のシステム。
【請求項１９】
接着剤層で、第１の光学フィルムを第２の光学フィルムに、前記第１および第２の光学フィルムの、周囲光学タブに対応する部分で接着する工程と、
前記第１および第２の光学フィルムを切断して、それぞれの周囲タブを有するそれぞれの第１および第２の光学フィルムセグメントを製造する工程とを含む、光学ディスプレイのための光学フィルムを積重ねるための方法であって、
前記第１および第２の光学フィルムが、整列され接着された周囲タブを有するフィルムスタックを形成する、方法。
【請求項２０】
前記第１および第２の光学フィルムを切断する前に、前記第１および第２の光学フィルムを接着する工程をさらに含む、請求項１９に記載の方法。
【請求項２１】
前記第１および第２のフィルムを切断する工程が、前記第１および第２の光学フィルムをともに切断する工程を含む、請求項２０に記載の方法。
【請求項２２】
前記第１および第２の光学フィルムを切断した後、前記第１および第２の光学フィルムを接着する工程をさらに含む、請求項１９に記載の方法。
【請求項２３】
前記第１および第２のフィルムを切断する工程が、前記第１および第２の光学フィルムを別々に切断し、次に、前記第１および第２の光学フィルムを整列して積重ね、前記第１および第２の光学フィルムを接着する工程を含む、請求項２２に記載の方法。
【請求項２４】
前記それぞれの第１および第２の光学フィルムから第１および第２のライナ層を剥離する工程をさらに含む、請求項１９に記載の方法。
【請求項２５】
前記第１および第２の光学フィルムを切断する工程が、前記第１および第２の光学フィルムをともに通って、前記第２の光学フィルムと関連するライナ層を切断されないままにする深さまで切断する工程を含む、請求項２４に記載の方法。
【請求項２６】
前記第１および第２の光学フィルムを接着する工程が、感圧接着剤を使用して前記第１および第２の光学フィルムを積層する工程を含む、請求項２４に記載の方法。
【請求項２７】
前記第１および第２の光学フィルムを接着する工程が、放射線硬化樹脂を使用して前記第１および第２の光学フィルムを積層する工程を含む、請求項２４に記載の方法。
【請求項２８】
前記第１および第２の光学フィルムを接着する工程が、ホットメルトグルーを使用して前記第１および第２の光学フィルムを積層する工程を含む、請求項２４に記載の方法。
【請求項２９】
前記第１および第２の光学フィルムを接着する工程が、エポキシを使用して前記第１および第２の光学フィルムを積層する工程を含む、請求項２４に記載の方法。
【請求項３０】
前記第１および第２の光学フィルムを切断する工程が、前記第１および第２の光学フィルムをともにダイカッタを通過させる工程を含む、請求項１９に記載の方法。
【請求項３１】
前記第１の光学フィルムが、第１の配向のプリズム状リブを有するプリズム状フィルムであり、前記第２の光学フィルムが、第１の配向に非平行な第２の配向のプリズム状リブを有するプリズム状フィルムである、請求項１９に記載の方法。
【請求項３２】
前記第１および第２の光学フィルムを提供する工程が、前記第１および第２の光学フィルムの少なくとも１つを、前記第１および第２の光学フィルムの少なくとも１つを収容するロールから引く工程を含む、請求項１９に記載の方法。
【請求項３３】
前記第１および第２の光学フィルムの少なくとも１つを切断されたシートとして前記第１および第２の光学フィルムの他方の上に供給する工程をさらに含む、請求項１９に記載の方法。
【請求項３４】
前記第１および第２の光学フィルムを提供する工程が、少なくとも第３の光学フィルムを提供する工程を含み、少なくとも第３の光学フィルムを前記第１および第２の光学フィルムと積重ねる工程をさらに含む、請求項１９に記載の方法。
【請求項３５】
前記フィルムスタックの一方の側に第１の保護層を設け、前記フィルムスタックの別の側に第２の保護層を設ける工程をさらに含み、前記第１および第２の層が、各々、前記フィルムスタックの主面とサイズおよび形状の少なくとも１つが異なった主面を有する、請求項１９に記載の方法。
【請求項３６】
第１の周縁を有し、少なくとも１つの第１の周囲タブが前記第１の周縁上に配置された第１の光学フィルムと、
前記第１の光学フィルムの上に配置された第２の光学フィルムであって、前記第２の光学フィルムが第２の周縁を有し、少なくとも１つの第２の周囲タブが前記第２の周縁上に配置され、前記少なくとも１つの第２の周囲タブが前記少なくとも１つの第１の周囲タブと整列され、前記少なくとも１つの第２の周囲タブが接着剤で前記少なくとも１つの第１の周囲タブに接着されてフィルムスタックを形成する、第２の光学フィルムとを含む、ディスプレイ内の光を管理するための光管理フィルムパッケージ。
【請求項３７】
前記第２の光学フィルムに取付けられた第３の光学フィルムをさらに含む、請求項３６に記載のフィルムパッケージ。
【請求項３８】
前記第３の光学フィルムが、前記少なくとも１つの第１および第２の周囲タブと整列され、かつ前記少なくとも１つの第２の周囲タブに接着された少なくとも１つの第３の周囲タブを有する第３の周縁を含む、請求項３７に記載のフィルムパッケージ。
【請求項３９】
前記第１および第２の光学フィルムがプリズム状光方向づけフィルムであり、前記第３の光学フィルムが反射偏光子である、請求項３７に記載のフィルムパッケージ。
【請求項４０】
前記第１および第２の光学フィルムが、各々、位置合せされたそれぞれの周縁を有し、前記第１の周縁の少なくとも一部が、前記第２の周縁の対応する部分に接着される、請求項３６に記載のフィルムパッケージ。
【請求項４１】
前記第１の光学フィルムが、前記第２の光学フィルムの方に配向されたプリズム状構造化表面を有するプリズム状光方向づけフィルムである、請求項３６に記載のフィルムパッケージ。
【請求項４２】
前記第２の光学フィルムが、前記第１の光学フィルムの方に配向された実質的に平坦な表面と、前記第１の光学フィルムのプリズム状構造化表面のリブに実質的に垂直に配向されたリブを備えたプリズム状構造化表面とを有するプリズム状光方向づけフィルムである、請求項４１に記載のフィルムパッケージ。
【請求項４３】
ディスプレイ要素をさらに含み、前記フィルムが前記ディスプレイ要素に取付けられる、請求項３６に記載のフィルムパッケージ。
【請求項４４】
バックライトユニットをさらに含み、前記フィルムスタックが前記バックライトユニットに取付けられる、請求項３６に記載のフィルムパッケージ。
【請求項４５】
前記スタックの一方の側の下部保護層と、前記スタックの他方の側の上部保護層とをさらに含む、請求項３６に記載のフィルムパッケージ。
【請求項４６】
前記上部および下部保護層が、各々、前記スタックの主面と形状およびサイズの少なくとも１つが異なった主面を有する、請求項４５に記載のフィルムパッケージ。
【請求項４７】
前記スタックがビューイング領域を有し、前記接着剤の層が前記ビューイング領域の外側にある、請求項３６に記載のフィルムパッケージ。
【請求項４８】
照明ユニットと、
ディスプレイユニットと、
前記照明ユニットから前記ディスプレイユニットまで進む光を管理するために前記照明ユニットと前記ディスプレイユニットとの間に配置された光管理ユニットとを含むディスプレイシステムであって、前記光管理ユニットが、少なくとも第１および第２の光学フィルムのスタックを含み、前記第１の光学フィルムが第１の周縁を有し、少なくとも１つの第１の周囲タブが前記第１の周縁上に配置され、前記第２の光学フィルムが、前記第１の光学フィルムの上に配置され、かつ第２の周縁を有し、少なくとも１つの第２の周囲タブが前記第２の周縁上に配置され、前記少なくとも１つの第２の周囲タブが前記少なくとも１つの第１の周囲タブと整列され、前記少なくとも１つの第２の周囲タブが接着剤で前記少なくとも１つの第１の周囲タブに接着される、ディスプレイシステム。
【請求項４９】
前記ディスプレイユニットによって表示される画像を制御するために、前記ディスプレイユニットに結合された制御ユニットをさらに含む、請求項４８に記載のシステム。
【請求項５０】
前記ディスプレイユニットが液晶ディスプレイ層を含む、請求項４８に記載のシステム。
【請求項５１】
前記液晶ディスプレイ層のビューイング側の吸収偏光子層と、前記液晶ディスプレイ層の光源側の吸収偏光子とをさらに含む、請求項５０に記載のシステム。
【請求項５２】
前記照明ユニットが、光ガイドパネルを照明する１つ以上の光源を含み、前記１つ以上の光源からの光が、前記光ガイドパネルに入り、前記光ガイドパネルの表面を通って前記光管理ユニットまで進む、請求項４８に記載のシステム。
【請求項５３】
前記照明ユニット、前記光管理ユニット、および前記ディスプレイユニットを保持するフレームをさらに含む、請求項４８に記載のシステム。
【請求項５４】
前記光管理ユニットの少なくとも前記第１および第２の光学フィルムが、前記光管理ユニットを前記フレーム内に配置するための１つ以上の周囲整列タブを含み、前記１つ以上の周囲整列タブが接着剤でともに取付けられる、請求項５３に記載のシステム。
【発明の詳細な説明】
【技術分野】
【０００１】
本発明は、光学ディスプレイに関し、より詳細には、光学ディスプレイに使用される光管理光学フィルムをパッケージングするための方法に関する。
【背景技術】
【０００２】
液晶ディスプレイ（ＬＣＤ）などの光学ディスプレイは、ますます普通になっており、たとえば、携帯電話、パーソナルデジタルアシスタント（ＰＤＡ）から電子ゲームに及ぶハンドヘルドコンピュータデバイスから、ラップトップコンピュータならびにＬＣＤモニタおよびテレビジョンスクリーンなどのより大きいデバイスまでに用途を見出している。光管理フィルムを光学ディスプレイデバイスに組入れることは、向上したディスプレイ性能をもたらす。プリズム状構造化フィルム、反射偏光子、および拡散体フィルムを含む、異なったタイプのフィルムが、出力輝度、照明均一性、視野角、および全体的なシステム効率などのディスプレイパラメータを向上させるのに有用である。そのような向上した動作特徴は、デバイスを、使用するのをより容易にし、また、バッテリ寿命を増加させることができる。
【０００３】
光管理フィルムは、一つずつ、ディスプレイフレーム内に、バックライトアセンブリとフラットパネルディスプレイとの間に積重ねられる。フィルムのスタックは、特定の望ましい光学性能を得るように最適化することができる。しかし、製造観点から、いくつかの問題が、いくつかの別々のフィルム片の取扱いおよび組立てから生じることがある。これらの問題としては、とりわけ、個別の光学フィルムから保護ライナを取外すために必要な過剰の時間、およびライナを取外すときにフィルムを損傷する増加した可能性が挙げられる。さらに、多数の個別のシートの、ディスプレイフレームへの挿入は、時間がかかり、個別のフィルムの積重ねは、フィルムが損傷されるさらなる機会をもたらす。これらの問題のすべてが、減少した全処理量または低減した歩留りに寄与することがあり、これは、より高いシステムコストをもたらす。
【発明の開示】
【発明が解決しようとする課題】
【０００４】
上で挙げられた問題に鑑み、本発明は、２つ以上の光学フィルムを、ディスプレイフレームへの挿入前にともにスタック内にともに保持する新たなパッケージング方法に関する。これは、フィルムの取扱いをより容易にし、ディスプレイデバイスの組立てに必要な工程の数を低減し、フィルムを損傷する可能性を低減し、歩留りを増加させる。
【課題を解決するための手段】
【０００５】
一般に、本発明は、２つ以上の光管理フィルムのスタックをパッケージングすることに関し、フィルムの少なくとも２つが、フィルムのビューイング領域の外側に位置決めされた接着剤を使用してともに接着される。いくつかの実施形態において、接着剤は、フィルムスタックの周囲に設けられた１つ以上のタブに付与される。
【０００６】
一実施形態において、本発明は、ディスプレイ内の光を管理するための光管理フィルムパッケージに関する。このパッケージは、少なくとも第１および第２の光学フィルムのスタックを含む。少なくとも第１および第２の光学フィルムの各々は、少なくとも１つの周囲タブを有する。少なくとも第１および第２の光学フィルムの少なくとも１つの周囲タブは、相対的に整列している。接着剤の層が少なくとも１つの周囲タブの間に配置されて、少なくとも第１および第２の光学フィルムを互いに接着する。
【０００７】
本発明の別の実施形態は、照明ユニットと、ディスプレイユニットと、照明ユニットからディスプレイユニットまで進む光を管理するために照明ユニットとディスプレイユニットとの間に配置された光管理ユニットとを含むディスプレイシステムに関する。光管理ユニットは、少なくとも第１および第２の光学フィルムのスタックを含む。少なくとも第１および第２の光学フィルムの各々は、少なくとも１つの周囲タブを有する。少なくとも第１および第２の光学フィルムの少なくとも１つの周囲タブは、相対的に整列している。接着剤の層が少なくとも１つの周囲タブの間に配置されて、少なくとも第１および第２の光学フィルムを互いに接着する。
【０００８】
本発明の別の実施形態は、光学ディスプレイのための光学フィルムを積重ねるための方法に関する。この方法は、接着剤層で、第１の光学フィルムを第２の光学フィルムに、第１および第２の光学フィルムの、周囲光学タブに対応する部分で接着する工程を含む。第１および第２の光学フィルムを切断して、それぞれの周囲タブを有するそれぞれの第１および第２の光学フィルムセグメントを製造する。第１および第２の光学フィルムは、整列され接着された周囲タブを有するフィルムスタックを形成する。
【０００９】
本発明の別の実施形態は、ディスプレイ内の光を管理するための光管理フィルムパッケージに関する。このパッケージは、第１の周縁を有し、少なくとも１つの第１の周囲タブが第１の周縁上に配置された第１の光学フィルムを含む。第２の光学フィルムが第１の光学フィルムの上に配置される。第２の光学フィルムは第２の周縁を有し、少なくとも１つの第２の周囲タブが第２の周縁上に配置される。少なくとも１つの第２の周囲タブは少なくとも１つの第１の周囲タブと整列される。少なくとも１つの第２の周囲タブは接着剤で少なくとも１つの第１の周囲タブに接着される。
【００１０】
本発明の別の実施形態は、照明ユニットと、ディスプレイユニットと、照明ユニットとディスプレイユニットとの間に配置された光管理ユニットとを有するディスプレイシステムに関する。光管理ユニットは、照明ユニットからディスプレイユニットまで進む光を管理する。光管理ユニットは、少なくとも第１および第２の光学フィルムのスタックを含む。第１の光学フィルムは第１の周縁を有し、少なくとも１つの第１の周囲タブが第１の周縁上に配置される。第２の光学フィルムは第１の光学フィルムの上に配置される。第２の光学フィルムは第２の周縁を有し、少なくとも１つの第２の周囲タブが第２の周縁上に配置される。少なくとも１つの第２の周囲タブは少なくとも１つの第１の周囲タブと整列される。少なくとも１つの第２の周囲タブは接着剤で少なくとも１つの第１の周囲タブに接着される。
【００１１】
本発明の上記概要は、本発明の各々の示された実施形態またはあらゆる実現を説明することが意図されていない。次の図および詳細な説明は、これらの実施形態をより詳細に例示する。
【００１２】
本発明は、添付の図面と関連して、本発明のさまざまな実施形態の次の詳細な説明を考慮して、より完全に理解されるであろう。
【００１３】
本発明は、さまざまな変更例および代替形態が可能であるが、その特定のものが、図面に例として示されており、詳細に説明される。しかし、本発明を、説明される特定の実施形態に限定しないことが意図されることが理解されるべきである。それどころか、特許請求の範囲によって規定されるような本発明の精神および範囲内である変更例、均等物、および代替例をすべて網羅することが意図される。
【発明を実施するための最良の形態】
【００１４】
本発明は、液晶ディスプレイなどのディスプレイに適用でき、そのようなディスプレイを製造するために必要な工程の数を低減するのに特に有用である。
【００１５】
ディスプレイシステム１００が図１に概略的に示されている。このシステムは、典型的には２つのガラス層の間に挟まれた、液晶ディスプレイ（ＬＣＤ）パネルなどの電子ディスプレイ要素１０２を含む。さらに、ディスプレイ要素１０２は、典型的には偏光ベースの画像を製造するために必要な偏光コントラストをもたらすために、ＬＣＤパネルより上および下に吸収偏光子を含んでもよい。
【００１６】
バックライトアセンブリ１０４を、ディスプレイ要素１０２のための主光源として使用してもよいし、使用者がディスプレイ要素１０２によって形成された画像を見るには不十分な周囲光がある場合に、光をディスプレイ要素１０２を通して与えるために使用してもよい。１つの特定の実施形態において、バックライトアセンブリ１０４は、光源１０６、光ガイド１０８、および１つ以上の反射体層１１０などの、いくつかの要素を含んでもよい。多くの用途におけるディスプレイシステム１００の重要な特徴は、システム１００の総厚さが小さいことである。したがって、光源１０６は、一般に、光ガイド１０８のサイドに位置決めされ、光ガイド１０８は、光を、光源１０６から、システム１００を通して上に、ディスプレイ要素の方に方向づける。光源１０６は、いかなる適切なタイプの光源であってもよい。多くの用途において、ディスプレイ１００を白色光で照明することが望ましく、この場合、光源１０６は、蛍光ランプ、白色光を発生するように色が混合される発光ダイオードのアレイなどであってもよい。
【００１７】
示された実施形態において、光ガイド１０８には、光を光ガイド１０８からディスプレイ要素１０２の方に方向づける拡散反射領域１１２が設けられる。光ガイド１０８は、ディスプレイ要素に面する光ガイド１０８の上面上の光抽出領域などの、ディスプレイ要素１０２の方に光を方向づけるための他のタイプの要素を含んでもよい。光抽出特徴を、また、光ガイド１０８の上面および下面の両方に設けてもよい。光ガイド１０８が、示されているようなスラブの形態であってもよいが、また、たとえばウェッジなどの別のジオメトリであってもよいことが理解されるであろう。また、他のデバイスを用いて、光を光からディスプレイ要素１０２の方に伝達してもよい。
【００１８】
バックライトアセンブリの他の実施形態も使用してもよく、たとえば、バックライトアセンブリを、適切な反射空洞内に位置決めされたランプのアレイで形成してもよい。バックライトアセンブリの設計のためのいくつかの他のオプションがあるが、バックライトアセンブリの特定の設計が本発明には重要でないことが理解されるべきである。
【００１９】
いくつかの光管理フィルムが、典型的には、光管理フィルムスタック１１４でバックライトアセンブリ１０４とディスプレイ要素１０２との間に介在される。光管理フィルムスタック１１４は、典型的には、ディスプレイ要素１０２に入射する光のさまざまな光学特徴を制御するためにいくつかのフィルムを収容する。たとえば、光管理フィルムスタックは、第１の拡散体フィルム１１６を含んでもよい。第１の拡散体フィルムを使用して、フィルムスタック１１４を通って上に進む光の強度を均質化するのを助けてもよい。
【００２０】
フィルム１１８および１２０は、各々がその上面を横切って走るプリズム形リブ１１９の列を有する構造化フィルムであってもよい。プリズム形リブは、光をシステム１００の光学軸１３０の方に方向づけるのを助ける。フィルム１１８のリブ１１９は、光を図の平面に平行な方向に再方向づけする。フィルム１２０のリブは、典型的には、フィルム１１８のリブに非平行に配列される。フィルム１２０のリブは、光を図の平面に垂直な方向に再方向づけするように、フィルム１１８のリブ１１９に垂直であってもよい。これは、交差構造構成と呼んでもよい。別の実施形態（図示せず）において、層１１８および１２０を、バックライトアセンブリ１０４から受けられた光を再方向づけする１つの構造化光学フィルムで置換してもよい。
【００２１】
スタック１１４は、また、反射偏光子層１２２を含んでもよい。この層は、画像光としてディスプレイ要素１０２を通る透過のための間違った偏光状態にあるバックライトアセンブリ１０４からの光を再利用するのに有用である。反射偏光子１２２によって反射された光を、いくらかの偏光混合を伴って反射体１１０によって拡散反射し、反射された光の少なくとも一部が、画像光としての使用のための正しい偏光状態でディスプレイ要素１０２までずっと進むようにしてもよい。さらに、偏光コンバータ、たとえば４分の１波長リターダ（ｒｅｔａｒｄｅｒ）層を使用して、反射偏光子１２２から反射された光の偏光を変えてもよい。反射偏光子１２２は、いかなる適切なタイプの反射偏光子、たとえば、多ポリマー層フィルム、コレステリック偏光子、またはワイヤグリッド偏光子であってもよい。
【００２２】
スタック１１４は、また、「カバーシート」と呼ばれることが多い別のシート１２４を含んでもよい。カバーシート１２４は比較的弱い拡散体であってもよい。拡散体シート１１６および１２４は、ディスプレイ要素１０２の照明を見る人に対して均一にするのに有用であろう。カバーシート１２４は、また、フィルムスタック１１４のビューイング領域を規定するか、バックライト１０４またはスタック１１４のエッジ効果をマスクするためのマスクであるシェーディングフレームを含んでもよい。実際のシステム設計によって、層１１６〜１２４によって表される要素のいくつかが、欠けていても、他の機能的要素に加えても、他の機能的要素で置換してもよいことが留意されるべきである。
【００２３】
そのようなフィルムスタック１１４では、製造の間、別々の光学フィルム層１１６〜１２４の各々を、ディスプレイフレームに個別に挿入しなければならない。全体的なディスプレイ厚さを低減するために、フィルム１１６〜１２４の厚さを低減することが重要なことが多いので、個別のフィルム１１６〜１２４を非常に薄くしてもよい。結果として、個別のフィルム剛性は小さくてもよく、これは、製造の間の取扱い、処理、および組立ての増加した困難をもたらすことがある。また、これらのフィルム層が精密な光学機能性を有することが多いので、引掻きまたは砕片などの表面欠陥の導入が、総システム性能を損なうことがある。各フィルム層には両側保護ライナが設けられることが多く、これらは、バックライトアセンブリへの挿入前に取外さなければならない。ライナ取外しおよび結果として生じるバックライトアセンブリへの挿入の作用は、デリケートなフィルムを、多数の、欠陥導入の潜在的なモードに曝すことがある。そのような欠陥の例としては、引掻き、静電気の蓄積によってフィルム表面に引き付けられる糸くずおよび他の砕片が挙げられる。さらに、ライナの取外しは付加的な製造工程を必要とし、したがって、取外すべきライナの数の低減が、より少ない製造工程をもたらし、製造コストの節減を伴う。多数のフィルム層がバックライトアセンブリに組入れられる場合、欠陥を作る／導入する可能性がさらに高くなることがあり、これは、過度の再加工によるよりゆっくりした製造処理量、およびより高い単位コストをもたらすことがある。
【００２４】
本発明は、取扱いおよび最終バックライト／システムアセンブリ効率を向上させるために、さまざまな光学フィルム層および／または構成要素をスタック内にともに保持する方法に関する。
【００２５】
少なくとも２つの光学層をスタック内にともに保持する１つの方法は、層の周囲タブ部分の間に接着剤層を挿入することを含む。そのような接着剤接合は、多数のフィルムの接着を行うことができるが、各接着剤層は、典型的には３０μｍ程度の増分厚さを加えてもよい。特定の場合において、そのようなフィルムスタックの全厚さの増加は最終構造に受入れられるであろう。また、接着剤層が、フィルムのビューイング領域の外側の、光学フィルムの周囲に制限される場合、接着剤層は、存在してもよいいかなる構造化フィルム表面の屈折特性の劣化ももたらさない。したがって、この技術を、構造化屈折表面を有するフィルム、プリズム状フィルム１１８および１２０のようなフィルムを積重ねるために使用してもよい。
【００２６】
本発明による接着されたフィルムスタック２００を形成するための１つの方法が、図２Ａに概略的に示されている。層２１６〜２２４が、ディスプレイシステムの光管理フィルムスタックに見出されるような異なった光学層を表す。たとえば、層２１６は拡散体層であってもよく、層２１８および２２０は、光を方向づけるためのプリズム状構造化フィルムであってもよく、層２２０の配向は層２１８に対して交差している。層２２２は反射偏光子層であってもよく、層２２４は拡散体層であってもよい。
【００２７】
接着剤２３０は、隣接したフィルム層をともに固定する接着剤の層を表す。接着剤２３０は、たとえば、フィルムのうちの１つの表面が構造を収容する場合、フィルム層の接着されていない部分の間の空気間隙の存在を可能にするような程度に制限される。そのような空気間隙は、光をスタック２１４の軸２３２の方に再方向づけするための、構造化光学フィルム２１８および２２０などの特定の光学フィルムの効率的な動作を維持するのに有用であろう。接着剤２３０は、典型的には、フィルム層の端縁に沿って、または層２１６〜２２４の１つ以上のサイドタブ上に配置される。そのようなタブは、また、スタック２００をディスプレイフレーム内に装着するための位置合せ要素として役立ってもよい。
【００２８】
フィルムスタックの別の実施形態が図２Ｂに概略的に示されており、この場合、プリズム状構造化フィルム２６６と別のフィルム２７０との間の接着剤層２３０を示す。フィルム２６６および２７０の一方または両方を、接着剤２３０を受けるようにくぼませてもよい。くぼみ２６８および２７２の高さは、ほとんどまたは少しも余分な高さをフィルム２６６および２７０のスタックに加えずに、接着剤の層を受入れるのに十分であってもよい。フィルム２６６とフィルム２７０との間の空気間隙２７４は、プリズム状構造化フィルムが、それを通る光を再方向づけすることを可能にするが、フィルムスタックの厚さを増加させない。
【００２９】
異なった方法を用いて、積重ねられたフィルムの光学品質の劣化を低減または防止してもよい。たとえば、ニュートン環をもたらすことがあるフィルムの間の汚染物質粒子の存在を低減するように注意する。さらに、たとえば、引用により本明細書に援用する米国特許第６，３２２，２３６号明細書に記載されているように、ウェットアウト（ｗｅｔ−ｏｕｔ）を低減するために、ともに触れる表面の一方または両方に小さい高さ変化を与えてもよい。また、引用により本明細書に援用する米国特許第５，７７１，３２８号明細書に記載されているように、プリズム状構造化フィルムに可変高さの構造化表面を設けてもよい。
【００３０】
異なったタイプの接着剤２３０、たとえば、感圧接着剤（ＰＳＡ）、放射線硬化樹脂、ホットメルトグルー、またはエポキシ系を使用してもよい。接着剤を、乾燥積層プロセスによってトランスファ接着剤として、またはスクリーン印刷もしくはグラビアコーティングのような技術を用いてウェットコーティング接着剤として塗布してもよい。
【００３１】
フィルムのスタック３００の上面図が図３に概略的に示されており、一番上のフィルムシート３０２のみを示す。スタック内のフィルムは、１つ以上の周囲タブ３０４を有する。タブ３０４は、最終バックライト／システムアセンブリの特定の設計によって、多くの異なった形状、数、および配置を呈してもよい。示された実施形態において、斜線領域３０６が、下の層に接着するために接着剤が付与された領域に対応する。
【００３２】
タブ３０４は、組立てまたは検査の間スタック３００を保持するために好都合な領域を提供してもよく、また、スタックをディスプレイと装着するときフィルムスタックを位置合せするために使用してもよい。さらに、タブ３０４をフィルムの周りに非対称パターンで設けてもよい。これは、アセンブラが、フィルムスタックのどちら側が最上であるかをすぐに特定するのを助け、したがって、ディスプレイユニットのより迅速な組立てを可能にし、かつフィルムを逆の位置に間違って挿入することからの誤りを低減する。
【００３３】
それらを通って光がディスプレイ要素および見る人まで進むフィルムの部分は、ビューイング領域と呼ばれる。一番上のフィルム３０２のビューイング領域は、破線３１０内に閉じ込められた領域として概略的に示されている。フィルムパッケージのサイズを低減するために、ビューイング領域は、好ましくはフィルム領域のできるだけ多くをとる。したがって、ビューイング領域は、いくつかの場合、フィルムの端縁まで延在してもよい。さらに、ビューイング領域の高光学品質を維持することが重要である。いくつかの接着技術がフィルムの光学品質を変化させるので、多くの場合、接着剤をビューイング領域の外側に配置することが重要である。したがって、接着剤３１２を、たとえば図３Ｂに概略的に示されているように、フィルム自体の周縁３１４の少なくとも一部の上に配置してもよい。
【００３４】
フィルムスタックの別の実施形態が図３Ｃに概略的に示されている。この実施形態において、スタックの２つの側に設けられたタブ３０４があり、上にいくらかの接着剤が配置された周縁３０６が、また、タブ３０４を有する端縁である。タブの多くの異なった組合せおよび配置が可能であり、スタックの異なった側が接着剤を受けてもよいことが理解されるであろう。
【００３５】
光学フィルムを接着剤で積重ねるのに使用するための接着剤層の選択は、表Ｉに記載されたものと同様であってもよい。
【００３６】
【表１】
2007504489.tif 000003
【００３７】
ディスプレイ４００の実施形態の分解図が図４に示されており、どのようにディスプレイの異なったパーツを組立てて、ディスプレイを形成してもよいかを示す。この特定の実施形態において、ディスプレイ４００は、他の構成要素を収容するためにフレーム４０２を使用する。フレーム４０２は、１つ以上のスロット４０４、または、フィルムを光管理フィルムスタック内に整列させるための、たとえばピンなどの他の整列特徴を収容してもよい。
【００３８】
バックライトアセンブリ４０６は、フレーム４０２内に配置された第１の構成要素である。バックライトアセンブリ４０６は、光ガイド４１０の端縁を照明する１つ以上の光源４０８を含む。次に、光管理フィルムスタック４１２は、バックライトアセンブリ４０６より上に位置決めされる。光管理フィルムスタック４１２は、接着剤４１６を使用してともに接着された２つ以上の光管理フィルム４１４を含む。示された実施形態において、接着剤４１６は、フィルムスタック４１２を整列スロット４０４で整列させる整列タブ４１８上に配置される。偏光子を含む、たとえば液晶ディスプレイ要素などのディスプレイ要素４２０は、光管理フィルムスタック４１２より上に位置決めされる。
【００３９】
光源４０８およびディスプレイ要素が、電力および制御信号を受けるように電気的接続を有することが理解されるであろう。電気的接続は示されていない。
【００４０】
光管理フィルムスタックを、また、ディスプレイ要素の１つに直接取付けてもよい。そのようなディスプレイの一例が図５に概略的に示されている。この特定の実施形態において、フィルムスタック５１４が、接着されたフィルム５１６〜５２４のスタックから形成される。示された実施形態において、フィルム５１８および５２０はプリズム状構造化フィルムである。フィルム５１６は、拡散体であってもよいし、光転向フィルム、たとえば、プリズム状構造化表面がバックライトアセンブリ５０４の方に面するプリズム状構造化フィルムであってもよい。
【００４１】
ディスプレイは、また、ディスプレイ要素５０２と、光源５０６、光ガイド５０８、および下部反射体５１０を有するバックライトアセンブリ５０４とを含む。光学フィルムスタック５１４は、上述の方法の１つを用いてともに接着された少なくとも２つのフィルムを収容する。次に、フィルムスタックは、ディスプレイ要素５０２および／またはバックライトアセンブリ５０４などの、ディスプレイユニットの別の要素に固定される。
【００４２】
示された実施形態において、フィルムスタック５１４は、たとえばフィルム５１６および光ガイド５０８の端縁の周りの接着剤を使用して、バックライトアセンブリ５０４に取付けられる。別の実施形態において、光学フィルムスタック５１４をディスプレイ要素５０２またはフレーム（図示せず）に固定してもよい。この方法は、自動的に行ってもよく、それにより、光学フィルムスタックの手動挿入を回避するので、有利であろう。このように、欠陥の導入を最小にしてもよく、製造処理量および単位コストを向上させることができる。
【００４３】
いくつかの実施形態において、下部フィルム５１６はスタック５１４の右端縁を越えて延在してもよく、フィルム５１６の張出している部分を、上に光源５０６を装着するベースとして使用してもよい。
【００４４】
コントローラ５３０、たとえばプロセッサなどが、典型的には、見る人によって見られる画像を制御するために、ディスプレイ要素５０２に結合される。
【００４５】
フラットパネルディスプレイのようなデバイスにおける接着されたフィルムスタックの使用は、いくつかの利点を提供する。ディスプレイに使用される光管理フィルムの多くは非常に薄い。たとえば、プリズム状構造化フィルムは、各々、厚さが約６２μｍであってもよく、反射偏光子の厚さは、約１μｍから１００μｍの範囲内であってもよい。ディスプレイに使用される光管理フィルムは、また、非常に可撓性である傾向があり、これは、ディスプレイの組立ての間、問題を引起すことがある。一方、多数の薄い可撓性フィルムをスタック内にともに保持することは、より剛性のフィルムパックを作り、これは、組立て問題を容易にすることができる。ディスプレイを組立てるときに別々の層の順次的積重ねをなくすことは、また、欠陥導入の可能性および最終的な歩留り損失を最小にする。さらに、フィルムが、通常、保護ライニングが両側にある状態で、製造業者によってディスプレイインテグレータ（ｄｉｓｐｌａｙ  ｉｎｔｅｇｒａｔｏｒ）に供給されるので、フィルムがスタック内にともに保持される場合、ディスプレイインテグレータが取外さなければならない保護ライナの数が低減される。これは、さらに、歩留りおよび製造単位コストを最適化する。
【００４６】
また、光学フィルムの積重ねは、各々の別々のフィルム層の別個の検査に対して最終検査および品質歩留りを向上させることができる。これは、個別に検査された場合に検出されるであろう下にあるまたは他のフィルム層の欠陥をゆがめ、カモフラージュする傾向があるであろう構造化光学フィルムを使用するときに容易に考慮することができる。
【００４７】
フィルムスタックが、周囲タブの間で接着された少なくとも２つのフィルムを含むことに加えて、また、周囲タブの間で接着しない他のフィルムの間のボンドを含んでもよいことが理解されるであろう。
【００４８】
光学フィルムは、大きいシートに製造されることが多く、いくつかの場合、ロール上に製造される。ディスプレイに組立てられる個別のフィルム片が、通常ダイによって、大きいシートから切断される。フィルムスタックを形成するためのいくつかの異なった方法を用いてもよい。たとえば、フィルムを適切な形状にダイカットし、次に、スタック内に整列させ接着してもよい。他の方法において、フィルムを、ダイカットされるのと同時に接着してもよいし、ダイカットされる前でも接着してもよい。さらに、スタックを、２つ以上の接着されたフィルムから形成してもよい。３つ以上のフィルムを含むスタックを、１つ以上の接着工程を用いて形成してもよいことが理解されるべきである。たとえば、最初の２つの光学フィルムをともに積層して、スタックの基礎を形成し、次に、１つ以上の付加的なフィルムをスタックに積層してもよい。別の例において、３つ以上の光学フィルムを、１つの積層動作でともに積層してもよい。
【００４９】
いくつかの方法が、大きい数のフィルムスタックを製造するのにより有利であろう。９０°割出しプロセスと呼ばれる１つのそのような方法を、ここで、図６を参照して説明する。このプロセスは、各々が構造を有し、第１のフィルムの構造が他方のフィルムに垂直に配向される２つのフィルムをともに接着するのに特に有用である。そのようなフィルムの一例が、液晶ディスプレイに見出されることが多いプリズム状輝度向上フィルムである。そのようなフィルムは、典型的には、プリズム状構造がフィルムのウェブに沿って位置するように、円筒形ローラを使用してプリズム状パターンを形成することによって形成される。このプロセスを、また、互いに接着されている２つのフィルムが好ましい配向を有さない場合に用いてもよい。
【００５０】
９０°割出しプロセスは、各々がダウンウェブ構造を備えた２つの入力ロール６０２および６０４を取り、それらを互いに対して９０°で繰出す。第１の入力ロール６０２からの材料が繰出されると、接着剤ストリップ６０６がラミネータ６０８内で第１のロール６０２の頂面に積層される。第２の入力ロール６０４からの材料が繰出され、シートに切断され、シート切断ステーション６１０における接着剤ストリップの上に配置される。２つのフィルム層は、ここで、２つのフィルムの表面構造が互いに垂直に配向された状態で、スタック内に互いに接着される。
【００５１】
積重ねられた材料はダイカットステーション６１２に進む。完成製品キャリヤ６１４、またはライナが、ダイカットステーション内に供給される。ダイカットステーション６１２において、タブ付パーツが、積重ねられた材料から切断され、完成製品キャリヤに移送される。いかなる適切なタイプのダイ、たとえば、フラットベッドダイ、適合金属ダイ、または回転ダイを、ダイカットステーションにおいて使用してもよい。プロセスは割出しし、完成したパーツを備えたライナは、ダイから、次の切断および移送のために割出しする。完成製品ワインダ６１６がダイカッタから完成製品を引出し、廃棄物ワインダ６１８がダイカッタから廃棄物材料を引出す。完成製品ワインダ６１６および廃棄物材料ワインダ６１８を互いに９０°で配向してもよい。
【００５２】
接着されたスタックを形成するためのプロセスの別の実施形態を、ここで、図７を参照して説明する。このプロセスは、接着されているフィルムが特定の配向を有さない場合、または、フィルム上の構造が、２つのフィルムを平行なロールから積重ねることができるようなものである場合に、特に有用である。第１のフィルムロール７０２が、少なくとも１つの側にライナを有するフィルムのロールを収容する。ライナ７０４は、剥離ロール７０６によって剥離される。第２のフィルムロール７０８も、少なくとも１つの側にライナを有するフィルムのロールを収容してもよい。ライナ７１０は、第２の剥離ロール７１２によって剥離される。剥離されたフィルム７１４および７１６は、１対のローラ７２０および７２２を有する積層ステーション７１８の方に進む。接着剤７２４が、接着剤ロール７２６から、剥離されたフィルム７１４および７１６の間に供給される。接着剤７２４を、その後のフィルムスタックのビューイング領域に対応するクリア領域を含むように成形してもよい。２つのフィルム７１４および７１６は、積層ステーション７１８でともに積層されて、積層されたスタック７２８を形成する。
【００５３】
積層されたスタック７２８はダイカットステーション７３０に供給され、ここで、ダイが、周囲タブを含むスタック形状を切断する。いかなる適切なタイプのダイ、たとえば、フラットベッドダイ、適合金属ダイ、または回転ダイを、ダイカットステーションにおいて使用してもよい。ダイは、好ましくは、接着剤のクリア領域に段階的に動かされ、スタックのビューイング領域の接着剤がないそれらの位置でスタックが切取られる。１つの特定の実施形態において、ダイは、積層されたスタック７２８を通って、制御された深さまで、下部フィルムの下部ライナまでキスカットしてもよい。次に、周囲ウィード（ｗｅｅｄ）７３２を、剥離し、下部ライナ層７３６上にフィルムスタック７３４のアレイを残してもよい。次に、下部ライナ層７３６を収集ローラ７３８上で受けてもよい。
【００５４】
２つのフィルム７１４および７１６はいかなる光管理フィルムであってもよい。たとえば、第１のフィルム７１４は、リブがフィルム７１４のウェブを横切って配向されたプリズム状構造化フィルムであってもよく、第２のフィルム７１６は、リブがフィルム７１６のウェブに沿って配向されたプリズム状構造化フィルムである。第１のフィルム７１４および第２のフィルム７１６は、また、拡散体または反射偏光子フィルムなどの、他のタイプの光管理フィルムであってもよい。
【００５５】
フィルムを接着して、接着されたスタックを形成する別の方法において、異なったフィルムを互いに直角の方向に供給してもよい。たとえば、２つの光学フィルムロールが、各々がウェブに沿って構造化されたリブを有するプリズム状構造化フィルムを収容してもよい。そのような場合、２つのロールからのフィルムは、積重ねられたプリズム状フィルムが交差するように、互いに直角に交差してもよい。接着剤層が、２つの光学フィルムの間に供給される。１つの積層および切断工具を使用して、フィルムを、それらが互いに重なるところで積層し切断してもよい。
【００５６】
保護フィルムを使用して、光学フィルムまたは光学フィルムスタックの頂面を保護してもよい。保護フィルムは、光学フィルムまたはスタックの全く同じ形状に切断される場合、光学フィルムまたはスタックから取外すのが困難なことがある。フィルムまたはフィルムスタックの端縁に重なる保護フィルムの新たな設計が、保護フィルムを取外すのをより容易にする。図８は、光学フィルムスタック８０４（斜線）の上の保護フィルム８０２（白）の１つの特定のスタイルを示す。保護フィルム８０２は、フィルムスタック８０４の主面とサイズおよび／または形状が異なった主面（図の平面に平行な表面）を有し、したがって、スタック８０４の上に張出す少なくとも１つの端縁を備えた保護フィルム８０２をもたらす。
【００５７】
図８に示されたスタックを生成するために使用してもよいシステムの一実施形態が、図９に概略的に示されている。このシステムにおいて、上部保護カバー９０２ｂおよび／または下部保護カバー９０２ｃとともに層状にされた光学フィルムまたは光学フィルムスタック９０２ａを含む層状構造９０２が、ダイステーション９０４内に供給される。層状構造９０２を、たとえば前の積層工程で形成してもよい。ダイステーション９０４内に供給される層状構造９０２を通る概略断面が（ａ）と示されている。ダイステーション９０４において、層状構造は、光学フィルムまたは光学フィルムスタック９０２ａが形状に切断されるように切断される。これは、典型的には、フィルムまたはフィルムスタック９０２ａおよび上部保護層９０２ｂの両方を切断することを含む。ウィード９０６、または廃棄物は、廃棄物ローラ９０８を使用して引出されて、（ｂ）として概略断面で示された層状構造９１０を製造する。
【００５８】
この特定の実施形態において、持上げ（ｌｉｆｔ−ｏｆｆ）テープ９１２が、たとえば積層ローラ９１４を通ることによって、層状構造９１０に、切断された上部保護層９０２ｂの上に積層される。持上げテープ９１２は、上部保護層９０２ｂとともに、たとえば持上げローラ９１６を使用して、層状構造９１０から持上げられて、層状構造９１８を製造する。層状構造９１８は、（ｃ）で断面で概略的に示されている。
【００５９】
次に、第２の上部保護層９２０が、たとえば積層ローラ９２２において、層状構造９１８に積層されて、層状構造９２４を製造する。層状構造９２４は、（ｄ）で概略的に示されているように、切断されていない下部保護層９０２ｃと、成形された光学フィルムまたはフィルムスタック９０２ａと、切断されていない上部保護層９２０とを含む。
【００６０】
層状構造９２４は、第２のダイステーション９２６内に供給され、ここで、第２の上部保護層９２０は所望のサイズおよび形状に切断される。第２の上部保護層９２０を、光学フィルムまたはフィルムスタック９０２ａ、または下部保護層９０２ｃを切断せずに切断してもよい。廃棄物第２保護層９２８は、たとえば持上げローラ９３０を使用して、第２のダイステーション９２６から製造された層状構造から持上げられて、（ｅ）として断面で概略的に示された層状構造９３２を製造する。したがって、最終層状構造９３２は、切断されていない下部保護層９０２ｃと成形された上部保護フィルム９２０との間の成形された光学フィルムまたはフィルムスタック９０２ａを含む。成形された上部保護フィルム９２０を、成形された光学フィルムまたはフィルムスタック９０２ａのサイズと無関係に、いかなる望ましいサイズに切断してもよい。たとえば、図８に示されているように、成形された上部保護フィルム９２０の１つ以上の端縁が、成形された光学フィルムまたはフィルムスタック９０２ａの端縁の上に張出してもよい。さらに、光学フィルムまたはフィルムスタック９０２ａがディスプレイ製品に組立てられているときに、成形された上部フィルム９２０を取外すのをより容易にするために、成形された上部フィルム９２０の１つ以上の端縁にタブを設けてもよい。したがって、成形された上部フィルム９２０および下部保護層９０２ｃは、各々、光学フィルムまたはフィルムスタック９０２ａの主面とサイズおよび／または形状が異なった主面を有する。
【００６１】
成形された上部保護層（図示せず）を形成するための方法の別の実施形態において、成形された上部保護層９２０が、切断された光学フィルムまたはフィルムスタック９０２ａおよび切断された元の上部保護層９０２ｂの両方の上に積層されるように、元の上部保護層９０２ｂを持上げる工程を省いてもよい。しかし、そのような場合、成形された上部保護層９２０が層状構造９３２から取外されるとき、切断された上部保護層９０２ｂが成形された上部保護層９２０に接着されたままであるように、成形された上部保護層９２０の接着剤強度が切断された上部保護層９０２ｂの接着剤強度より高いことが重要である。
【００６２】
上で示されたように、本発明は、ディスプレイに適用でき、そのようなディスプレイを製造するために必要な工程の数を低減するのに特に有用であると考えられる。本発明は、上述された特定の実施例に限定されるとみなされるべきでないが、むしろ、特許請求の範囲に適切に述べられたような本発明の態様をすべて網羅すると理解されるべきである。さまざまな変更例、均等なプロセス、および本発明が適用できる多数の構造は、本明細書を検討すると、本発明が対象とする技術の当業者には容易に明らかであろう。特許請求の範囲は、そのような変更例およびデバイスを網羅することが意図される。
【図面の簡単な説明】
【００６３】
【図１】ディスプレイユニットを概略的に示す。
【図２Ａ】本発明の実施形態による光管理フィルムユニットを概略的に示す。
【図２Ｂ】本発明の別の実施形態による光管理フィルムユニットを概略的に示す。
【図３Ａ−３Ｃ】本発明の原理による光管理フィルムユニットの異なった実施形態の上面図を概略的に示す。
【図４】本発明の実施形態によるディスプレイユニットの斜視図を概略的に示す。
【図５】本発明の原理によるディスプレイユニットの実施形態を概略的に示す。
【図６】本発明の原理による光管理フィルムユニットを製造するのに有用なシステムの工程を概略的に示す。
【図７】本発明の原理によるフィルムスタックを製造するためのシステムの別の実施形態を概略的に示す。
【図８】本発明の原理によるライナを備えたフィルムスタックの実施形態を概略的に示す。
【図９】本発明の原理による図８に示されているようなライナを備えたフィルムスタックを生成するのに有用なシステムの実施形態を概略的に示す。
【図１】
2007504489.tif 000004
【図２Ａ】
2007504489.tif 000005
【図２Ｂ】
2007504489.tif 000006
【図３Ａ】
2007504489.tif 000007
【図３Ｂ】
2007504489.tif 000008
【図３Ｃ】
2007504489.tif 000009
【図４】
2007504489.tif 000010
【図５】
2007504489.tif 000011
【図６】
2007504489.tif 000012
【図７】
2007504489.tif 000013
【図８】
2007504489.tif 000014
【図９】
2007504489.tif 000015
【国際調査報告】
2007504489.tif 000016
2007504489.tif 000017
2007504489.tif 000018
2007504489.tif 000019
2007504489.tif 000020